(57)【要約】  【課題】椅子の美観が低下してしまうことを抑制する技術を提案する。  【解決手段】着席者を支持する座体及び背凭れの少なくともいずれか一方である支持部材を備える椅子である。上記支持部材は、その外周の少なくとも一部において以下に示す複合部を有している。複合部は、第１部材の一部である第１外周部と、第２部材の一部である第２外周部と、を含み、上記第１外周部と上記第２外周部とが上記支持部材の厚さ方向に並べて配置されている。上記複合部において、上記第１外周部の少なくとも一部は、上記第１部材のうち、上記第１外周部の少なくとも一部の外側に位置する部分よりも上記厚さ方向の厚みが薄い薄肉部として形成されている。【選択図】図５
2018047137.tif 000002
【特許請求の範囲】
【請求項１】
椅子であって、
着席者を支持する座体及び背凭れの少なくともいずれか一方である支持部材を備え、
前記支持部材は、その外周の少なくとも一部において、第１部材の一部である第１外周部と、第２部材の一部である第２外周部と、を含み、前記第１外周部と前記第２外周部とが前記支持部材の厚さ方向に並べて配置されている複合部を有しており、
前記複合部において、前記第１外周部の少なくとも一部は、前記第１部材のうち、前記第１外周部の少なくとも一部の外側に位置する部分よりも前記厚さ方向の厚みが薄い薄肉部として形成されている、椅子。
【請求項２】
請求項１に記載の椅子であって、
前記第１部材は、前記支持部材の外周に配置され、前記薄肉部よりも厚く、かつ、前記第２外周部と前記厚さ方向に並ばない位置に配置される非複合部を有する、椅子。
【請求項３】
請求項１又は請求項２に記載の椅子であって、
前記薄肉部は、前記第１外周部のうち、前記第１外周部と並べて配置される前記第２外周部の存在する側が凹んだ形状である、椅子。
【請求項４】
請求項１から請求項３のいずれか１項に記載の椅子であって、
上下方向に長さを有し、前記支持部材を支持する脚部を有しており、
前記第１部材及び前記脚部は、いずれも柱状又は管状の部材であって、屈曲部を介して屈曲して連接されている、椅子。
【請求項５】
請求項１から請求項４のいずれか１項に記載の椅子であって、
前記第２外周部は、前記第１外周部よりも前記着席者の着席する側に配置されている、椅子。
【請求項６】
第１部材の一部と、第２部材の一部であって前記第１部材の一部に隣り合わせて配置される隣接部と、を有する複合部を備え、
前記複合部において、前記第１部材の一部は、該第１部材の一部と前記隣接部とが並ぶ方向に関して、前記第１部材の一部におけるその外側の部分よりも厚みが薄い薄肉部として形成されている、椅子の構造体。
【発明の詳細な説明】
【技術分野】
【０００１】
本開示は、椅子に関する。
【背景技術】
【０００２】
椅子は通常、座体や背凭れなどの着席者を支持するための支持部材を備えている。支持部材が複数の部材から構成される場合、その外周部分において、複数の部材が並んだ状態を外部から視認できる構造となる場合がある。例えば特許文献１に示される椅子は、脚部１０の上に座部１２が配置される結果、座部１２の外周部分は、脚部１０における座部の真下に配置される部分と、座部１２の外縁部分と、が重なった構造となっている。
【先行技術文献】
【特許文献】
【０００３】
【特許文献１】特開２０１０−００５２８５号公報
【発明の概要】
【発明が解決しようとする課題】
【０００４】
特許文献１に記載される椅子のように、支持部材の外周部分において複数の部材が並ぶ状態となって、その外周部分の厚みが大きくなると、椅子の美観が損なわれてしまうおそれがある。
【０００５】
本開示の目的は、椅子の美観が低下してしまうことを抑制する技術を提案することである。
【課題を解決するための手段】
【０００６】
本開示の一態様は、椅子であって、着席者を支持する座体及び背凭れの少なくともいずれか一方である支持部材を備え、上記支持部材は、その外周の少なくとも一部において以下に示す複合部を有している。複合部は、第１部材の一部である第１外周部と、第２部材の一部である第２外周部と、を含み、上記第１外周部と上記第２外周部とが上記支持部材の厚さ方向に並べて配置されている。上記複合部において、上記第１外周部の少なくとも一部は、上記第１部材のうち、上記第１外周部の少なくとも一部の外側に位置する部分よりも上記厚さ方向の厚みが薄い薄肉部として形成されている。
【０００７】
このように構成された椅子では、薄肉部によって複合部の少なくとも一部が薄くなっている。従って、複数の部材を重ねた結果厚みが大きくなってしまうことによって美観が低下してしまうことが抑制される。
【０００８】
上述した椅子において、上記第１部材は、上記支持部材の外周に配置され、上記薄肉部よりも厚く、かつ、上記第２外周部と上記厚さ方向に並ばない位置に配置される非複合部を有するように構成されていてもよい。
【０００９】
このように構成された椅子では、上述した非複合部の存在により、複合部における薄肉部が第１部材の一部が薄くなったものであることを、より容易に視認させることができ、それにより美観の向上を図ることができる。
【００１０】
また上述した椅子において、上記薄肉部は、上記第１外周部のうち、上記第１外周部と並べて配置される上記第２外周部の存在する側が凹んだ形状であってもよい。
このように構成された椅子では、複合部の少なくとも一部が、凹みとして形成された肉薄部に第２外周部が収容されたような構造となることで、さらに美観の向上を図ることができる。
【００１１】
また上述した椅子において、さらに、上下方向に長さを有し、上記支持部材を支持する脚部を有しており、上記第１部材及び上記脚部は、いずれも柱状又は管状の部材であって、屈曲部を介して屈曲して連接されていてもよい。
【００１２】
このように構成された椅子では、椅子を観察した者が、脚部と薄肉部とを比較して、複合部のうち薄肉部を有する部分が薄肉部によりその厚みが抑制されていることをより明確に認識することができる。よって、上記椅子では美観の向上を図ることができる。
【００１３】
また上述した椅子において、さらに、上記第２外周部は、上記第１外周部よりも上記着席者の着席する側に配置されていてもよい。
このように構成された椅子では、より着席者の体が接触しにくい部分に配置される第１外周部に薄肉部が配置されるため、厚みを薄くしたことの影響を着席者に与えにくくすることができる。
【００１４】
本開示の異なる態様は、椅子の構造体であって、第１部材の一部と、第２部材の一部であって上記第１部材の一部に隣り合わせて配置される隣接部と、を有する複合部を備え、上記複合部において、上記第１部材の一部は、該第１部材の一部と上記隣接部とが並ぶ方向に関して、上記第１部材の一部におけるその外側の部分よりも厚みが薄い薄肉部として形成されていることを特徴とする。
【００１５】
このように構成された椅子の構造体では、薄肉部によって複合部の少なくとも一部が薄くなっている。従って、複数の部材を重ねた結果厚みが大きくなってしまうことによって美観が低下してしまうことが抑制される。
【図面の簡単な説明】
【００１６】
【図１】実施形態の椅子を示す図であって、図１Ａが側面図であり、図１Ｂが正面図であり、図１Ｃが背面図であり、図１Ｄが平面図であり、図１Ｅが図１ＡのＩＥ−ＩＥ断面図である。
【図２】座板及びフレームワークを示す斜視図である。
【図３】座板及びフレームワークを示す斜視図である。
【図４】座板がフレームワークに取り付けられた状態を示す斜視図である。
【図５】椅子の側面図である。
【図６】図１ＡのＶＩ−ＶＩ断面図である。
【図７】図１ＡのＶＩＩ−ＶＩＩ断面図である。
【図８】脚端部を示す斜視図である。
【図９】下柱に設けられた凹部を示す斜視図である。
【図１０】図１ＡのＸ−Ｘ断面図である。
【図１１】図１１Ａ〜図１１Ｃが、複合部の変形例を示す図である。
【図１２】複合部の変形例を示す図である。
【図１３】複合部の変形例を示す図である。
【図１４】脚端部の変形例を示す図である。
【発明を実施するための形態】
【００１７】
以下に本開示の実施形態を図面と共に説明する。
［１．実施形態］
［１−１．全体構成］
図１に示されるように、椅子１は、座板１１、背板１３、フレームワーク１５、脚端部１７、などを有する。
【００１８】
なお、本実施形態においては、前後、左右、上下などの方向を用いて各部の構成を説明する場合があるが、それらの方向は説明の便宜上用いているに過ぎず、本開示の実施の態様について何ら限定するものではない。上述した方向は、理解を容易にする目的で、着席者が椅子１に正常に着席したときの着席者を基準とした方向としている。
【００１９】
椅子１は、前後及び上下に拡がる平面を基準として、左右に対称形である。椅子１においては、フレームワーク１５の一部と座板１１によって座体２１を構成し、フレームワーク１５の一部と背板１３とによって背凭れ２３を構成する。以下に、フレームワーク１５と、座体２１及び背凭れ２３の構成を説明する。
【００２０】
［１−２．フレームワーク１５］
図２〜図４に示されるように、フレームワーク１５は、円筒状の、即ち管状の金属パイプを屈曲及び溶接して形成された左右一対のパイプ体３１と、パイプ体３１を連結する棒状の前側連結部３２及び後側連結部３３と、一対のパイプ体３１の間に取り付けられた座板受け部３４と、を有している。
【００２１】
パイプ体３１は、前柱４１、後柱４２、下柱４３、上柱４４を有する。
前柱４１は、パイプ体３１の前部に位置しており、上下方向に長さを有している。
後柱４２は、パイプ体３１の後部に位置しており、上下方向に長さを有している。また後柱４２の上部には、薄肉部６１が形成されている。
【００２２】
薄肉部６１は、後柱４２における薄肉部６１の外側に位置する部分、即ち後柱４２における薄肉部６１よりも下方の部分よりも厚みが薄く形成されている。
下柱４３は、パイプ体３１の下部に位置しており、前柱４１の下端と後柱４２の下端とを連結している。下柱４３は、外観が柱状の部材であって、椅子１が設置される床面に沿って配置される。外観が柱状の部材とは、内部が中空であるか否かを問わない部材という意味であり、本実施形態では中空である。
【００２３】
この下柱４３は、下側の面において、その周囲の部分よりも床面から離れる方向、即ち上側に向かって凹んだ２つの凹部５２及び凹部５３を有している。これら凹部５２および凹部５３は、前後方向に間隔を空けて形成されている。
【００２４】
上柱４４は、パイプ体３１の上部に位置しており、前柱４１の上端と、後柱４２の上下中央よりもやや上部側と、を連結している。前柱４１と上柱４４は金属パイプを屈曲した屈曲部４６を介して屈曲して連接されている。また上柱４４の後端部は後側連結部３３と溶接により連接されている。この上柱４４は、前方側の厚肉部６２と、後方側の薄肉部６３とを有している。
【００２５】
厚肉部６２は、パイプ体３１における他の部分と同じ直径を有している。一方、薄肉部６３は、上側の面において、下側に凹む凹部５４が形成されており、それにより厚肉部６２よりも厚みが薄く形成されている。なお、厚肉部６２は、上柱４４における薄肉部６３の外側に位置する部分であると言える。なお、ここでいう外側とは、上柱４４の長さ方向に関する外側を意味する。また、後述する座体２１の外周に沿った方向に関する外側とも言うことができる。
【００２６】
前側連結部３２は、左右のパイプ体３１それぞれの前柱４１同士を連結している。また後側連結部３３は、左右のパイプ体３１それぞれの後柱４２同士を連結している。
座板受け部３４は、周囲に曲げ加工が為された板状の部材である。座板受け部３４は、左右一対の上柱４４に沿って配置される左右一対の側方部５５と、一対の側方部５５の前端同士を繋ぐ前方部５６と、を有している。
【００２７】
図３に示されるように、左右一対の側方部５５それぞれには前後に間隔を空けた３箇所に貫通穴５７が形成されている。また、座板１１の裏面にも、貫通穴５７に対応する位置にネジ穴５８が形成されている。図６に示されるように、ネジ６５を、貫通穴５７を通してネジ穴５８に螺合することにより、座板１１はフレームワーク１５に固定される。
【００２８】
［１−３．座体２１及び背凭れ２３］
座体２１は、座板１１と、座板受け部３４と、上柱４４と、を含む。また座体２１は、着座面２２を有している。
【００２９】
座板１１は、全体として略矩形の板状であり、前方の部分が、下方に緩やかに曲がった曲面となっている。
図２、図４などに示されるように、座板１１の左右方向の幅は、左右の両方の側面における前方寄りに形成された段差部４７を境に、後方が広く、前方が狭く形成されている。段差部４７は、左右側方から見ると、上側ほど前方に突出するように傾斜している。座板１１の左右の外縁部分のうち、段差部４７よりも前方を第１外縁部４８とし、後方を第２外縁部４９とする。
【００３０】
座板１１がフレームワーク１５に固定された状態では、第２外縁部４９は薄肉部６３と上下に重なるように配置され、座体複合部７１を構成する。座体複合部７１の詳細については後述する。
【００３１】
背凭れ２３は、図５に示されるように、薄肉部６１と、背板１３と、を含む。背板１３がフレームワーク１５に固定された状態では、図７に示されるように、背板１３の左右方向の端部７４と薄肉部６１とは前後に重なるように配置され、背凭れ複合部７３を構成する。背凭れ複合部７３の詳細については後述する。
【００３２】
座体２１及び背凭れ２３は、いずれも、着席者を支持する。座体２１は、前柱４１、後柱４２、及び下柱４３によって支持されている。
［１−４．座体２１の座体複合部７１］
図５及び図６に示されるように、座体２１は、その外周の左右両側面の一部において座体複合部７１を有している。
【００３３】
座体複合部７１は、上柱４４の一部である薄肉部６３と、座板１１の一部である第２外縁部４９と、を含み、薄肉部６３と第２外縁部４９とが、座体２１の厚さ方向、即ち本実施形態においては略上下方向に並べて配置されている。
【００３４】
座体複合部７１において、薄肉部６３は、上述した凹部５４を有することによって、厚肉部６２と比較して、座体２１の厚さ方向の厚みが薄くなっている。また薄肉部６３は、薄肉部６３と並べて配置される第２外縁部４９の存在する側が凹んだ形状である。
【００３５】
第２外縁部４９は、薄肉部６３よりも着席者の着席する側に配置されている。
このように構成された座体複合部７１は、薄肉部６３と第２外縁部４９による厚さが、厚肉部６２の直径とほぼ同じ厚さになっている。また図６に示されるように、座体複合部７１の断面を前方から見ると、第２外縁部４９の左右外側の端部は上側が丸みをおびている。よって、下側が丸みをおびた薄肉部６３と重なることで、前後に伸びる円柱状の表面を構成する。
【００３６】
即ち、座体複合部７１は、座板１１と上柱４４の２つの部材が重なっているものの、そのうちの一方である上柱４４の厚肉部６２と同様の厚さに収まり、またその表面も厚肉部６２のように円柱状となったことにより、座体複合部７１の一部が厚肉部６２や屈曲部４６、前柱４１など同様の円柱状に形成されたことによる高い美観を有するものとなっている。
【００３７】
また、座板１１が上柱４４よりも上側に配置されていることから、座体２１の左右方向の両端まで座体１１が広がることとなり、着席者が違和感を受けることなく着席可能な範囲を広くすることができる。
【００３８】
また上柱４４のうち、厚肉部６２は、座体２１の外周に配置され、薄肉部６３よりも厚く、かつ、第２外縁部４９と座体２１の厚さ方向に並ばない位置に配置される。
［１−５．背凭れ２３の背凭れ複合部７３］
図５及び図７に示されるように、背凭れ２３は、その外周の左右両側面の一部において背凭れ複合部７３を有している。
【００３９】
背凭れ複合部７３は、後柱４２の一部である薄肉部６１と、背板１３の一部である端部７４と、を含み、薄肉部６１と端部７４とが、背凭れ２３の厚さ方向、即ち本実施形態においては略前後方向に並べて配置されている。
【００４０】
背凭れ複合部７３において、薄肉部６１は、後柱４２における薄肉部６１の外側部分と比較して、背凭れ２３の厚さ方向の厚みが薄くなっている。また薄肉部６１は、薄肉部６１と並べて配置される端部７４の存在する側が凹んだ形状である。端部７４は、薄肉部６１よりも着席者の着席する側に配置されている。
【００４１】
このように構成された背凭れ複合部７３は、薄肉部６１と端部７４による厚さが、後柱４２の直径とほぼ同じ厚さになっている。また図７に示されるように、背凭れ複合部７３の断面を上方から見ると、端部７４の左右外側の前側の端部が丸みをおびている。よって、後側が丸みをおびた薄肉部６１と重なることで、上下に伸びる円柱状の表面を構成する。
【００４２】
即ち、背凭れ複合部７３は、背板１３と後柱４２の２つの部材が重なっているものの、そのうちの一方である後柱４２と同様の厚さに収まり、またその表面も後柱４２のように円柱状となったことにより、背凭れ複合部７３の一部がその下部の後柱４２と同様の円柱状に形成されたことによる高い美観を有するものとなっている。
【００４３】
また、背板１３が薄肉部６１よりも上側に配置されていることから、背凭れ２３の左右方向の両端まで背板１３が広がることとなり、着席者に対して違和感を与えずに後方から支持可能な範囲を広くすることができる。
【００４４】
［１−６．脚端部１７及び下柱４３］
図８に示されるように、脚端部１７は、前後方向に長さを有する柱状体８１を備えている。柱状体８１の側面のうち、上側の面が平面８２となっている。平面８２の中央部には、柱状体８１の裏側に向かう貫通穴８３が形成されている。柱状体８１における前後の両端部の上側は、前後の先端側ほど下方向へ向かうように傾斜する傾斜面８４となっている。
【００４５】
下柱４３に形成された凹部５２は、図９に示されるように、凹部５２の奥側の底に位置する平面である底面９１と、底面９１の前後両端から立設する傾斜面である壁面９２とを有している。底面９１の中央部には、ネジ穴９３が形成されている。なお、ここで言う底面とは、凹部の奥に位置する面であって、椅子１を基準とすると上側に位置する面である。
【００４６】
脚端部１７が凹部５２に取り付けられた状態において、平面８２は底面９１と当接し、傾斜面８４は壁面９２と当接する。このように、脚端部１７は凹部５２と複数の面で当接する。
【００４７】
また図１０に示されるように、柱状体８１における平面８２の反対側の面である下端面８６には、溝８５が形成されている。下端面８６は、床面に当接する面である。溝８５は貫通穴８３に繋がっており、溝８５の側からネジ９５を挿入してネジ穴９３に螺合させることで、脚端部１７が下柱４３に取り付けられる。このとき、脚端部１７は、少なくとも一部が凹部５２に収められた状態で下柱４３に取り付けられる。
【００４８】
なお、凹部５２と凹部５３とは同一の形状であり、それらに取り付けられる複数の脚端部１７も同一の形状である。
［１−７．効果］
以上詳述した実施形態によれば、以下の効果が得られる。
【００４９】
（１ａ）椅子１では、第２外縁部４９と薄肉部６３とが座体複合部７１を構成しており、座体複合部７１の厚さが厚肉部６２とほぼ同じになるように構成されている。そのため、座体複合部７１の厚みが大きくなって美観が低下してしまうことを抑制でき、美観の向上を図ることができる。
【００５０】
（１ｂ）座体複合部７１は、薄肉部６３が下方向に凹んだ形状であり、その上に第２外縁部４９が配置された形状である。そのため、座体複合部７１が厚肉部６２と同様の高さとなることで上柱４４と座板１１との一体感を醸成することができ、それにより美観の向上を図ることができる。
【００５１】
（１ｃ）椅子１では、上柱４４と前柱４１とが屈曲部４６を介して連結されており、共通の部材であると視認させることができる。そのため、前柱４１と比較して薄肉部６３が薄いことを明確に視認させることができ、パイプ体３１の一部を薄くしたことによるデザインの独創性を明確にすることができる。
【００５２】
（１ｄ）椅子１では、薄肉部６３よりも第２外縁部４９が着席者側に配置される。よって、着席者は着座面２２の外周部分に違和感を受けにくくなり、座り心地の低下を抑制することができる。
【００５３】
（１ｅ）椅子１では、背凭れ複合部７３においても上記（１ａ）〜（１ｄ）と同様の効果を奏することができる。即ち、薄肉部６１と端部７４とが並ぶことで、厚さが大きくなることを抑制して美観の向上を図ることができ、また薄肉部６１が端部７４よりも後方に配置されることで背凭れ２３のもたれ心地の低下を抑制することができる。
【００５４】
［１−８．対応関係］
本実施形態においては、座体２１及び背凭れ２３が、本開示の支持部材の一例であり、上柱４４及び後柱４２が本開示の第１部材の一例であり、座板１１及び背板１３が本開示の第２部材の一例であり、第２外縁部４９及び端部７４が本開示の第２外周部及び隣接部の一例であり、厚肉部６２が本開示の非複合部の一例であり、前柱４１が本開示の脚部の一例である。また脚端部１７の柱状体８１が本開示の隣接部の一例である。
【００５５】
また本実施形態においては、薄肉部６３、薄肉部６１が本開示の第１外周部の一例である。即ち、本実施形態では、第１外周部の全体が薄肉部として形成されている。
また本実施形態においては、座体複合部７１及び背凭れ複合部７３が本開示の複合部及び構造体の一例であり、また、凹部５２と脚端部１７を含む構造、及び、凹部５３と脚端部１７を含む構造が本開示の構造体の一例である。
【００５６】
［２．その他の実施形態］
以上本開示の実施形態について説明したが、本開示は、上記実施形態に何ら限定されることはなく、本開示の技術的範囲に属する限り種々の形態をとり得ることはいうまでもない。
【００５７】
（２ａ）上記実施形態では、座体複合部７１及び背凭れ複合部７３（以下、これらを合わせて単に複合部とも記載する）は、それぞれフレームワーク１５の一部をその構成要素としている例を示した。しかしながら複合部は、フレームワーク１５の一部を含まず、フレームワーク１５以外の構成要素によって構成されていてもよい。複合部を構成するフレームワーク１５以外の構成要素としては特に制限されるものではないが、椅子としての機能を発揮するために用いられる構成要素でなく、美観のための構成要素であってもよい。
【００５８】
（２ｂ）上記実施形態では、座体２１及び背凭れ２３のそれぞれに複合部を有する構成を例示したが、いずれか一方にのみ複合部を有していてもよい。また複合部の形成される位置は、座体２１や背凭れ２３の外周の少なくとも一部であればよいが、外周の全部であってもよい。
【００５９】
（２ｃ）上記実施形態では、複合部は、薄肉部６１又は薄肉部６３を含む一方で、それらよりも厚さの大きい厚肉部６２などの部分を含まない構成を例示した。しかしながら、例えば、図１１Ａに示される座体複合部１０１のように、上柱４４の上に重なる座板１１の側面部１０３が、薄肉部６３のみでなく、厚肉部６２の上にも配置されるように構成されていてもよい。即ち複合部は薄肉部以外の部分を有していてもよい。
【００６０】
なお図１１Ａでは、上柱４４の上に重なる部分のみを側面部１０３として図示しており、上柱４４と重ならない部分については図示を省略している。以下の変形例においても同様である。
【００６１】
また、図１１Ｂに示される座体複合部１０５のように、座板１１の側面部１０７が薄肉部６３全体を覆っておらず、薄肉部６３の一部が座体複合部１０５の構成として含まれないものであってもよい。
【００６２】
（２ｄ）上記実施形態では、座体２１は、座体複合部７１の外部、より詳細には座体２１の外周に沿う方向の外部に、薄肉部６３よりも厚みの大きい厚肉部６２が非複合部として設けられる構成を例示したが、非複合部を有していない構成であってもよい。例えば、図１１Ｃに示される座体複合部１１１のように、座板１１の側面部１１３が厚肉部６２及び薄肉部６３を全て覆う構成とすれば、非複合部が存在しなくなる。
【００６３】
（２ｅ）上記実施形態では、薄肉部６１及び薄肉部６３は、座板１１や背板１３が配置される方の側が凹んだ形状である構成を例示したが、それとは反対の側が凹む構成であってもよい。例えば図１２に示される座体複合部１２１のように、側面部１２３が、薄肉部１２５における凹部が形成される側とは反対の側に配置される構成であってもよい。
【００６４】
（２ｆ）上記実施形態では、上柱４４において厚肉部６２の後方の部分は全て薄肉部６３として形成されている構成を例示したが、図１３に示される座体複合部１３１のように、薄肉部１３２の前方に厚肉部１３３が設けられ、薄肉部１３２の後方に厚肉部１３４が設けられる構成であってもよい。また、薄肉部の後方にのみ厚肉部が設けられる構成であってもよい。
【００６５】
また厚肉部１３３と厚肉部１３４の厚さは同一でなくともよい。例えば、薄肉部１３２と側面部１３５とを重ねた厚さと比較して、薄肉部１３２は薄く、厚肉部１３４は厚く構成することが考えられる。
【００６６】
（２ｇ）上記実施形態では、脚端部１７は凹部５２及び凹部５３を構成する面とのみ接触する構成を例示した。しかしながら、図１４に示される脚端部１４１のように、下柱４３の外周面のうち、凹部５２及び凹部５３以外の外周面と当接する当接面１４３を有していてもよい。なお、ここでいう外周面とは、下柱４３における円柱形状の周壁部分であって、凹部５２、凹部５３の周囲の部分である。
【００６７】
（２ｈ）上記実施形態では、薄肉部６３と第２外縁部４９が当接した状態で座板１１がフレームワーク１５に取り付けられ、また、薄肉部６１と端部７４が当接した状態で背板１３がフレームワーク１５に取り付けられる構成を例示した。
【００６８】
しかしながら、薄肉部と、それに隣接する部材と、は、当接していなくともよい。例えば、それらの間に小さな隙間を空けて配置されていてもよい。
（２ｉ）上記実施形態では、フレームワーク１５のパイプ体３１が金属パイプにより構成される例を示したが、円筒形のパイプ以外の形状の部材により構成されていてもよい。例えば、中空形状ではなく中身が詰まったムク材を用いてもよいし、断面が矩形などの円形以外の形状である部材を用いてもよい。
【符号の説明】
【００６９】
１…椅子、１１…座板、１３…背板、１５…フレームワーク、１７…脚端部、２１…座体、２２…着座面、３１…パイプ体、４１…前柱、４２…後柱、４３…下柱、４４…上柱、４６…屈曲部、４８…第１外縁部、４９…第２外縁部、５２〜５４…凹部、５７…貫通穴、５８…ネジ穴、６１…薄肉部、６２…厚肉部、６３…薄肉部、６５…ネジ、７１…座体複合部、７３…背凭れ複合部、７４…端部、８１…柱状体、８２…平面、８３…貫通穴、８４…傾斜面、８５…溝、９１…底面、９２…壁面、９３…ネジ穴、９５…ネジ、１０１…座体複合部、１０３…側面部、１０５…座体複合部、１０７…側面部、１１１…座体複合部、１１３…側面部、１２１…座体複合部、１２３…側面部、１２５…薄肉部、１３１…座体複合部、１３２…薄肉部、１３３，１３４…厚肉部、１３５…側面部、１４１…脚端部、１４３…当接面
【図１】
2018047137.tif 000003
【図２】
2018047137.tif 000004
【図３】
2018047137.tif 000005
【図４】
2018047137.tif 000006
【図５】
2018047137.tif 000007
【図６】
2018047137.tif 000008
【図７】
2018047137.tif 000009
【図８】
2018047137.tif 000010
【図９】
2018047137.tif 000011
【図１０】
2018047137.tif 000012
【図１１】
2018047137.tif 000013
【図１２】
2018047137.tif 000014
【図１３】
2018047137.tif 000015
【図１４】
2018047137.tif 000016